(57)【特許請求の範囲】
【請求項１】
前後方向と、
前記前後方向と直交する幅方向と、
前胴回り域、後胴回り域、及び前記前胴回り域と前記後胴回り域との間に位置し、脚回り開口部が設けられる領域である股下域と、
前記前後方向に延び、かつ吸収体を折り畳むための一対の第１折り線及び一対の第２折り線を有する吸収体と、
前記股下域において前記幅方向に延び、かつ吸収性物品を二つに折り畳むための二つ折り線と、を備える吸収性物品であって、
前記吸収体は、前記吸収体が折り畳まれた折り畳み状態において、
前記一対の第１折り線の間に位置し、前記吸収体の前記幅方向の中央を含む第１領域と、
前記第１折り線と前記第２折り線との間に位置し、前記第１領域の肌対向面側にそれぞれ配置される一対の第２領域と、
前記第２折り線よりも前記幅方向の外側において前記第２領域の肌対向面側にそれぞれ配置される一対の第３領域と、を有し、
前記第３領域は、前記股下域において前記第３領域の外側縁から前記幅方向の内側に延びる低目付領域を有しており、
前記第３領域の外側縁は、前記第１折り線よりも前記幅方向の外側に位置し、
前記低目付領域の吸収材料の目付は、前記第３領域の後端縁における吸収材料の目付よりも低く、かつ前記第３領域の前端縁における吸収材料の目付よりも低く、
前記二つ折り線は、前記低目付領域に設けられ、
前記低目付領域は、前記股下域に設けられており、前記前胴回り域及び前記後胴回り域に設けられていない、吸収性物品。
【請求項２】
前記低目付領域の前端縁は、前記前胴回り域よりも後方に位置し、
前記低目付領域の後端縁は、前記後胴回り域よりも前方に位置する、請求項１に記載の吸収性物品。
【請求項３】
前記第３領域は、前記低目付領域の吸収材料よりも目付が高い高目付領域を有しており、
前記第２領域の吸収材料の目付は、前記第１領域の吸収材料の目付よりも低く、かつ前記第３領域の前記高目付領域の吸収材料の目付よりも低い請求項１又は請求項２に記載の吸収性物品。
【請求項４】
前記低目付領域の内側縁は、前記折り畳み状態において、前記第２折り線よりも前記幅方向の外側に位置する、請求項１から請求項３のいずれかに記載の吸収性物品。
【請求項５】
前記低目付領域の内側縁は、前記折り畳み状態において、前記第１折り線よりも前記幅方向の外側に位置する、請求項１から請求項４のいずれかに記載の吸収性物品。
【請求項６】
前記低目付領域は、前記幅方向の長さが最大となる幅広部を有しており、
前記二つ折り線は、前記幅広部に設けられる、請求項１から請求項５のいずれかに記載の吸収性物品。
【請求項７】
前記吸収材料を覆うコアラップを有し、
前記コアラップは、前記第１領域、前記第２領域及び前記第３領域を跨る、請求項１から請求項６のいずれかに記載の吸収性物品。
【請求項８】
前記折り畳み状態において、前記第２領域の肌対向面と前記第３領域の非肌対向面とが接合されていない、請求項１から請求項７のいずれかに記載の吸収性物品。
【請求項９】
前記折り畳み状態において、前記第１領域、前記第２領域及び前記第３領域が重なった重畳部の少なくとも一部では、前記第１領域の肌対向面と前記第２領域の非肌対向面とが接合されている、請求項１から請求項８のいずれかに記載の吸収性物品。
【請求項１０】
前記折り畳み状態において、前記二つ折り線が設けられた領域では、前記第１領域の肌対向面と前記第２領域の非肌対向面とは、接合されていない、請求項９に記載の吸収性物品。
【発明の詳細な説明】
【技術分野】
【０００１】
本発明は、前後方向に延びる折り線によって折り畳まれた吸収性物品に関する。
【背景技術】
【０００２】
前後方向に延びる折り線によって折り畳まれた吸収体を有する使い捨ておむつが提供されている（例えば、特許文献１参照）。特許文献１の吸収体は、前後方向に延びる第１折り返し線に沿って幅方向内側に折り返され、当該折り返された領域は、第２折り返し線に沿って幅方向外側に折り返されている。
【先行技術文献】
【特許文献】
【０００３】
【特許文献１】特表２００２−３４５８７１号公報
【発明の概要】
【発明が解決しようとする課題】
【０００４】
このような吸収性物品は、一般的に、使用前に吸収性物品の幅方向に延びる二つ折り線を基点にして、吸収性物品の肌対向面同士が向き合うように二つに折り畳まれている。吸収性物品の二つ折り線が着用者に対して谷折りであり、吸収性物品には着用者から離れるような折り癖が形成される。
【０００５】
また、吸収体は、二つに折り畳まれた状態で二つ折り線を中心に圧縮され、当該圧縮された部分の剛性が高くなる。特許文献１の吸収体は、第１折り返し線と第２折り返し線の間において３層重なっている。吸収体が３層重なっている領域の厚さは、比較的厚い。そのため、特許文献１の吸収体は、３層重なっている領域の二つ折り線において、より圧縮され、剛性がより高くなる。このような吸収性物品が着用されると、着用者の両脚によって挟まれた際に二つ折り線が設けられた部分が着用者の肌から離れ、身体に対する吸収体の密着性が低下する。身体に対する吸収体の密着性が低下することにより、体液の引き込み性が低下し、漏れが発生するおそれがあった。
【０００６】
本開示は、上述の課題に鑑みてなされたものであり、幅方向に延びる二つ折り線によって折り畳まれた吸収性物品において、漏れの発生を抑制することを目的とする。
【課題を解決するための手段】
【０００７】
本開示に係る吸収性物品（使い捨ておむつ１０）は、前後方向（前後方向Ｌ）と、前記前後方向と直交する幅方向（幅方向Ｗ）と、前胴回り域（前胴回り域２０）、後胴回り域（後胴回り域３０）、及び前記前胴回り域と前記後胴回り域との間に位置する股下域（股下域２５）と、前記前後方向に延び、かつ吸収体を折り畳むための一対の第１折り線（第１折り線ＦＬ１）及び一対の第２折り線（第２折り線ＦＬ２）を有する吸収体（吸収体４０）と、前記股下域において前記幅方向に延び、かつ吸収性物品を二つに折り畳むための二つ折り線（二つ折り線ＦＬ３）と、を備える吸収性物品であって、前記吸収体は、前記吸収体が折り畳まれた折り畳み状態において、前記一対の第１折り線の間に位置し、前記吸収体の幅方向の中央を含む第１領域（第１領域４０１）と、前記第１折り線と前記第２折り線との間に位置し、前記第１領域の肌対向面側にそれぞれ配置される一対の第２領域（第２領域４０２）と、前記第２折り線よりも幅方向の外側に位置し、前記第２領域の肌対向面側にそれぞれ配置される一対の第３領域（第３領域４０３）と、を有し、前記第３領域は、少なくとも前記股下域において前記第３領域の外側縁（第３領域の外側縁４０３Ｅ２）から前記幅方向の内側に延びる低目付領域（低目付領域４０４）を有しており、前記第３領域の外側縁は、前記第１折り線よりも前記幅方向の外側に位置し、前記低目付領域の吸収材料の目付は、前記第３領域の後端縁における吸収材料の目付よりも低く、かつ前記第３領域の前端縁における吸収材料の目付よりも低く、前記二つ折り線は、前記低目付領域に設けられることを要旨とする。
【発明の効果】
【０００８】
本開示によれば、幅方向に延びる二つ折り線によって折り畳まれた吸収性物品において、漏れの発生を抑制することができる。
【図面の簡単な説明】
【０００９】
【図１】一実施形態における使い捨ておむつの平面図である。
【図２】図１に示したＡ−Ａ線に沿った使い捨ておむつの断面図である。
【図３】図１に示したＢ−Ｂ線に沿った使い捨ておむつの断面図である。
【図４】展開状態の吸収体の平面図である。
【図５】折り畳み状態の吸収体の平面図である。
【図６】図４のＣ−Ｃ線に沿った吸収体の断面図である。
【図７】使い捨ておむつの着用状態を模式的に示した図である。（ａ）は、比較例に係る使い捨ておむつを示しており、（ｂ）は、本実施形態に係る使い捨ておむつを示している。
【発明を実施するための形態】
【００１０】
本明細書及び添付図面の記載により、少なくとも以下の事項が明らかとなる。
前後方向と、
前記前後方向と直交する幅方向と、
前胴回り域、後胴回り域、及び前記前胴回り域と前記後胴回り域との間に位置する股下域と、
前記前後方向に延び、かつ吸収体を折り畳むための一対の第１折り線及び一対の第２折り線を有する吸収体と、
前記股下域において前記幅方向に延び、かつ吸収性物品を二つに折り畳むための二つ折り線と、を備える吸収性物品であって、
前記吸収体は、前記吸収体が折り畳まれた折り畳み状態において、
前記一対の第１折り線の間に位置し、前記吸収体の前記幅方向の中央を含む第１領域と、
前記第１折り線と前記第２折り線との間に位置し、前記第１領域の肌対向面側にそれぞれ配置される一対の第２領域と、
前記第２折り線よりも前記幅方向の外側において前記第２領域の肌対向面側にそれぞれ配置される一対の第３領域と、を有し、
前記第３領域は、少なくとも前記股下域において前記第３領域の外側縁から前記幅方向の内側に延びる低目付領域を有しており、
前記第３領域の外側縁は、前記第１折り線よりも前記幅方向の外側に位置し、
前記低目付領域の吸収材料の目付は、前記第３領域の後端縁における吸収材料の目付よりも低く、かつ前記第３領域の前端縁における吸収材料の目付よりも低く、
前記二つ折り線は、前記低目付領域に設けられる、吸収性物品。
【００１１】
吸収性物品は、着用者に装着されると、着用者の両足によって挟まれる。吸収性物品には、幅方向外側から幅方向内側に向かう力がかかる。この幅方向外側から幅方向内側に向かう力は、第３領域の外側縁にかかる。第３領域の外側縁に幅方向外側から幅方向内側に向かう力がかかると、第３領域の内側縁には、その反力として、幅方向内側から幅方向外側に向かう力が第２領域側からかかる。すなわち、第３領域には、幅方向外側から幅方向内側に向かう力と、幅方向内側から幅方向外側に向かう力と、が作用する。このように相反する力がかかることにより、第３領域において二つ折り線によって厚み方向に圧縮された部分において、圧縮されて硬化した部分の吸収材料がほぐされ、剛性が低下する。
【００１２】
このとき、股下域には、低目付領域が設けられているため、股下域の第３領域には、前胴回り域の第３領域及び後胴回り域の第３領域と比較して、この幅方向外側から幅方向内側に向かう力の影響を受けやすくなる。幅方向外側から幅方向内側に向かう力の影響を受け易いことにより、その反力も強くなり、吸収体の剛性を低下させる効果も強くなる。低目付領域に二つ折り線が設けられているため、二つ折り線によって硬くなった吸収体の剛性を低下させることができる。
【００１３】
よって、着用時に二つ折り線が設けられた吸収体が着用者の肌から離れることを抑制し、吸収体を体に密着させることができる。体液の引き込み性を向上させ、漏れの発生を抑制することができる。
【００１４】
かかる吸収性物品であって、
前記低目付領域の内側縁は、前記折り畳み状態において、前記第２折り線よりも前記幅方向の外側に位置することが望ましい。
【００１５】
このような吸収性物品によれば、低目付領域の内側縁が第２折り線よりも幅方向の外側に位置するため、着用時に幅方向外側から幅方向内側に向かう力は、低目付領域のみならず、第３領域における低目付領域以外の領域及び第１領域にかかる。そのため、第３領域の幅方向全域に低目付領域が配置された構成と比較して、第１領域の当たりを和らげることができ、第１領域の意図しない変形及び吸収体全体の幅入りすることを防ぐことができる。吸収体の変形による漏れを抑制できる。
【００１６】
かかる吸収性物品であって、
前記低目付領域の内側縁は、前記折り畳み状態において、前記第１折り線よりも前記幅方向の外側に位置することが望ましい。
【００１７】
このような吸収性物品によれば、低目付領域の内側縁が第１折り線よりも幅方向の外側に位置するため、着用時に両足によって挟まれた際に、第１領域よりも先に第３領域の低目付領域の内側縁（第３領域における低目付領域以外の領域）に当たる。よって、第３領域における低目付領域以外の領域に幅方向外側から幅方向の内側に向かう力が強くかかり、二つ折り線によって硬くなった吸収体の剛性を低下させる効果をより発揮できる。
【００１８】
また、着用時に両足によって挟まれた際に、第１領域が先に当たらないため、吸収体全体が幅入りすることを防ぐことができる。なお、第１領域よりも先に第３領域における低目付領域以外の領域に足が当たっても、第３領域における低目付領域以外の領域は、幅方向内側から幅方向外側に向かう力を第２領域側から受けるため、幅入りし難い。よって、吸収体全域が意図しない変形することを抑制し、吸収体の変形による漏れを抑制できる。
【００１９】
かかる吸収性物品であって、
前記低目付領域は、前記幅方向の長さが最大となる幅広部を有しており、
前記二つ折り線は、前記幅広部に設けられることが望ましい。
【００２０】
このような吸収性物品によれば、幅広部には、幅方向外側から幅方向内側に向かう力が最も強くかかる。当該幅広部に二つ折り線が設けられているため、二つ折り線によって硬くなった吸収体の剛性を効果的に低下させることができる。二つ折り線によって硬くなった吸収体の剛性を低下させて、吸収体を体により密着させることができる。体液の引き込み性を向上させ、漏れの発生をより抑制することができる。
【００２１】
かかる吸収性物品であって、
前記吸収材料を覆うコアラップを有し、
前記コアラップは、前記第１領域、前記第２領域及び前記第３領域を跨ることが望ましい。
【００２２】
このような吸収性物品によれば、コアラップが第１領域、第２領域及び第３領域を跨っているため、第１領域、第２領域及び第３領域のそれぞれにかかる力を伝わり易くすることができる。そのため、幅方向外側から幅方向内側に向かう力が第３領域に掛かった際に、当該力の反力が第２領域から第３領域に伝わり易く、吸収体の剛性を低下させる効果を発揮し易くなる。
【００２３】
かかる吸収性物品であって、
前記折り畳み状態において、前記第２領域の肌対向面と前記第３領域の非肌対向面とが接合されていないことが望ましい。
【００２４】
このような吸収性物品によれば、第２領域の肌対向面と第３領域の非肌対向面とが接合されていないため、第３領域と第２領域とで相反する方向の力がかかり易くなる。よって、幅方向外側から幅方向内側に向かう力が加えられた際に、当該力の反力が発生し易く、吸収体の剛性を低下させる効果を発揮し易くなる。
【００２５】
また、第３領域の外側縁に幅方向外側から幅方向内側に向かう力がかかると、左右の第３領域同士が近づくように変形し、左右の第２領域が肌側に立ち上がるように変形する。左右の第２領域間に空間を形成し、当該空間によって排泄物を保持し易くなる。よって、排泄物の漏れを更に抑制できる。
【００２６】
かかる吸収性物品であって、
前記折り畳み状態において、前記第１領域、前記第２領域及び前記第３領域が重なった重畳部の少なくとも一部では、前記第１領域の肌対向面と前記第２領域の非肌対向面とが接合されていることが望ましい。
【００２７】
このような吸収性物品によれば、第１領域の肌対向面と前記第２領域の非肌対向面とが接合されていることにより、吸収体の折り構造を維持することができる。第１領域、第２領域及び第３領域の３つの領域で排泄物を効率よく吸収し、排泄物の漏れを抑制できる。
【００２８】
かかる吸収性物品であって、
前記折り畳み状態において、二つ折り線が設けられた領域では、前記第１領域の肌対向面と前記第２領域の非肌対向面とは、接合されていないことが望ましい。
【００２９】
このような吸収性物品によれば、二つ折り線が設けられた領域には、第１領域と第２領域の接合によって硬化した部分が形成されないため、二つ折り線が設けられた領域における剛性が高くなることを抑制できる。よって、吸収性物品を着用者の股下に沿って配置でき、排泄物の漏れを抑制できる。また、二つ折り線が配置された領域における剛性が低くなることにより、装着時の違和感を抑制できる。
【００３０】
＝＝＝本実施の形態に係る吸収性物品について＝＝＝
次に、本発明に係る吸収性物品としての使い捨ておむつの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００３１】
（１）使い捨ておむつの全体概略構成
図１は、本実施形態に係る使い捨ておむつ１０の展開状態の平面図である。図２は、図１に示したＡ−Ａ線に沿った使い捨ておむつ１０の断面図である。図３は、図１に示したＢ−Ｂ線に沿った使い捨ておむつの断面図である。図４は、展開状態の吸収体の平面図である。図５は、折り畳み状態の吸収体の平面図である。図６は、図４に示すＣ−Ｃ線に沿った吸収体の断面図である。図１に示す平面図は、使い捨ておむつを構成するトップシート５０及びサイドシート７０等の皺が形成されない状態まで、レッグ伸縮部７５及び漏防カフの弾性部材７７を伸長させた状態の図である。
【００３２】
使い捨ておむつ１０は、前胴回り域２０と、股下域２５と、後胴回り域３０と、を有する。前胴回り域２０は、着用者の前胴回り部（腹部分）と接する部分である。また、後胴回り域３０は、着用者の後胴回り部（背部分）と接する部分である。股下域２５は、前胴回り域２０と後胴回り域３０との間に位置し、脚回り開口部３５が設けられる領域である。脚回り開口部３５は、使い捨ておむつの外側縁に設けられており、使い捨ておむつが着用者に着用された状態で着用者の脚回りに沿って配置される部分である。なお、外側縁は、幅方向の外側端であり、内側縁は、幅方向の内側端である。
【００３３】
なお、本実施形態では、前胴回り域２０から後胴回り域３０に向かう方向を前後方向Ｌと呼び、前後方向Ｌと直交する方向を幅方向Ｗと呼び、着用者の肌対向面側Ｔ１と、肌対向面側Ｔ１と反対側であり、着用者の非肌対向面側Ｔ２と、を含む方向を厚み方向Ｔと呼ぶ。
【００３４】
使い捨ておむつ１０は、吸収体４０と、吸収体４０の肌対向面側Ｔ１に配置される肌面シートと、吸収体４０の非肌対向面側Ｔ２に配置される非肌面シートと、を少なくとも有する。吸収体４０は、少なくとも股下域２５に配置される。図６に示すように、吸収体４０は、吸収コア４０ａと、コアラップ４０ｂと、を有する。吸収コア４０ａは、従来の使い捨ておむつと同様の材料によって構成でき、粉砕パルプや高吸収ポリマー（ＳＡＰ）などの吸収材料を含んでおり、公知の部材や材料を用いて適宜構成することができる。
【００３５】
コアラップ４０ｂは、吸収材料である吸収コア４０ａを覆うシートである。コアラップ４０ｂは、透液性を有する各種の繊維不織布もしくはティッシュによって構成される。吸収体４０については、後述にて詳細に説明する。
【００３６】
肌面シートは、トップシート５０と、サイドシート７０と、を有する。トップシート５０は、不織布や織物などの液透過性のシートによって形成される。トップシート５０は、着用者の肌に当接するシートである。
【００３７】
サイドシート７０は、トップシート５０の外側縁を覆い、トップシート５０よりも幅方向外側に延出する。サイドシート７０の内側縁は、幅方向外側に折り返されており、２層のサイドシート７０間に前後方向に伸縮する弾性部材７７が配置される。サイドシート７０と弾性部材７７とは、漏防カフを構成する。
【００３８】
非肌面シートは、少なくともバックシート６０ａと外装シート６０を有する。バックシート６０ａは、液不透過性を有し、吸収コア４０ａ及びコアラップ４０ｂの非肌対向面側に配置される。外装シート６０は、バックシート６０ａの非肌対向面側に配置される。
【００３９】
サイドシート７０には、ファスニングテープ９０が備えられる。ファスニングテープ９０は、後胴回り域３０において、幅方向Ｗに沿って延び、前胴回り域２０のターゲット部９５に止着されることにより、使い捨ておむつ１０を着用者の身体に保持する。ターゲット部９５は、一対のファスニングテープ９０がそれぞれ止着するように構成されている。吸収体４０の幅方向の外側には、脚回り開口部３５の周囲に形成され、前後方向Ｌに伸縮可能なレッグ伸縮部７５が備えられる。
【００４０】
使い捨ておむつ１０は、幅方向に延びる二つ折り線ＦＬ３を有する。二つ折り線ＦＬ３は、吸収性物品を折り畳むための折り線であり、吸収性物品を二つに折り畳んだ状態で形成される。二つ折り線は、股下域２５に配置される。使い捨ておむつ１０は、使用前の状態で二つ折り線ＦＬ３を基点に二つに折り畳まれている。使い捨ておむつ１０は、肌対向面同士が向き合うように二つに折り畳まれている。二つ折り線ＦＬ３は、着用者に対して谷折りである。よって、使い捨ておむつ１０には、着用者から離れるような折り癖が形成される。なお、本実施の形態の二つ折り線ＦＬ３は、使い捨ておむつ１０の前後方向Ｌの中心に設けられている。二つ折り線ＦＬ３は、使い捨ておむつの前後方向の中心に対してずれていてもよい。二つ折り線ＦＬ３が使い捨ておむつの前後方向の中心に対してずれていることにより、使い捨ておむつ１０の前後方向Ｌの中心からずれた位置に折り癖を設けることができる。また、使い捨ておむつ１０は、使い捨ておむつ１０の外側縁（サイドフラップ部分）が幅方向の内側に向かって折り畳まれた後に、二つ折り線ＦＬ３を基点に折り畳まれていてもよい。このような構成によれば、二つ折り線ＦＬ３の全体が谷折りにならず、二つ折り線ＦＬ３の一部は、山折りとなり、着用者の肌に近づくような折り癖となる。
【００４１】
（２）吸収体の構成
次いで、吸収体４０の構成について詳細に説明する。吸収体４０は、図４及び図６に示すように、展開状態において１枚のシート状である。吸収体４０は、前後方向に延びる一対の第１折り線ＦＬ１と、前後方向に延びる一対の第２折り線ＦＬ２と、を有する。一対の第１折り線ＦＬ１及び一対の第２折り線ＦＬ２は、吸収体を折り畳むための折り線であり、吸収体を折り畳んだ状態で形成される。吸収体４０は、一対の第１折り線ＦＬ１と一対の第２折り線ＦＬ２とによって４か所で折られており、複数層に積層されている。一対の第１折り線ＦＬ１同士、一対の第２折り線ＦＬ２同士、及び第１折り線ＦＬ１と第２折り線ＦＬ２は、それぞれ幅方向において離間している。図４に示すように、吸収体４０の展開状態（第１折り線ＦＬ１及び第２折り線ＦＬ２によって折り畳まれていない状態）において、第２折り線ＦＬ２は、第１折り線ＦＬ１よりも幅方向の外側に位置する。図５に示すように、吸収体の折り畳み状態（第１折り線ＦＬ１及び第２折り線ＦＬ２によって折り畳まれた状態）において、第２折り線ＦＬ２は、第１折り線ＦＬ１よりも幅方向の内側に位置する。
【００４２】
吸収体４０は、折り畳み状態において、一対の第１折り線ＦＬ１の間に位置する第１領域４０１と、第１折り線ＦＬ１と第２折り線ＦＬ２との間に位置する一対の第２領域４０２と、第２折り線ＦＬ２よりも幅方向の外側に位置する一対の第３領域４０３と、を有する。図４及び図６に示す展開状態において、第１領域４０１は、吸収体４０の幅方向Ｗの中央を含み、一対の第１折り線ＦＬ１の間の領域である。第２領域４０２は、展開状態において第１領域４０１を挟んで両側に位置し、第１折り線ＦＬ１と第２折り線ＦＬ２の間の領域である。第３領域４０３は、展開状態において第１領域４０１及び一対の第２領域４０２を挟んで両側に位置し、第２折り線ＦＬ２よりも幅方向外側の間の領域である。第１領域４０１、第２領域４０２、及び第３領域４０３は、幅方向Ｗにおいて連続している。
【００４３】
吸収体４０は、第１折り線ＦＬ１によって着用者に対して谷折りされ、かつ第２折り線ＦＬ２によって山折りされる。吸収体４０が折り畳まれた折り畳み状態で、第１領域４０１の肌対向面側に第２領域４０２が配置され、第２領域４０２の肌対向面側に第３領域４０３が配置されている。第３領域４０３は、少なくとも一部が第２領域４０２の肌対向面側に配置されていればよく、第２領域４０２の肌対向面側に配置されない部分を有するように構成されたものも含む概念である。吸収体４０は、第１折り線ＦＬ１及び第２折り線ＦＬ２によって折り畳まれるため、幅方向の寸法がコンパクトになる。
【００４４】
折り畳み状態で一対の第２折り線ＦＬ２は、幅方向Ｗにおいて離間している。第３領域４０３の外側縁４０３Ｅ２は、第１折り線ＦＬ１よりも幅方向Ｗの外側に位置する。第１折り線ＦＬ１よりも幅方向の外側には、第３領域４０３のみが配置される。折り畳み状態の吸収体４０の外側縁４０Ｅは、着用者の脚回りに配置される。吸収体４０の外側縁４０Ｅは、第３領域４０３の外側縁４０３Ｅ２である。折り畳み状態の吸収体４０の外側縁４０Ｅには、第３領域４０３のみが配置され、比較的厚みが薄い。よって、着用者の脚回りにおける違和感を低減できる。第３領域４０３の外側縁４０３Ｅ２は、後述する低目付領域４０４の外側縁４０４Ｅ２と高目付領域４０５の外側縁４０５Ｅ２を含む。
【００４５】
第１折り線ＦＬ１と第２折り線ＦＬ２の間は、第１領域４０１、第２領域４０２、及び第３領域４０３が配置される重畳部４５を構成する。重畳部４５は、第１領域４０１、第２領域４０２及び第３領域４０３が積層された部分であり、第１折り線ＦＬ１と第２折り線ＦＬ２の間の部分である。一対の第２折り線ＦＬ２の間には、第１領域４０１のみが配置される。一対の第２折り線ＦＬ２の間は、吸収体４０の厚みが比較的薄く、一対の第２折り線ＦＬ２よりも幅方向の外側の領域と比較して非肌対向面側に凹んでいる。当該凹みによって排泄物を保持したり、排泄物を前後に拡散したりして、吸収能力を高めることができる。
【００４６】
第２領域４０２の吸収材料の目付は、第１領域４０１の吸収材料の目付よりも低く、第３領域４０３の吸収材料の目付よりも低い。具体的には、第１領域４０１は、パルプとＳＡＰを有し、第２領域４０２は、実質的に吸収材料を有しない。第２領域４０２は、設計上のＳＡＰ等の吸収材料の目付が零であるが、製造工程において第１領域等から混入したＳＡＰやパルプを有していてもよい。第１領域４０１のパルプの目付及び第３領域４０３のパルプの目付は、第２領域４０２のパルプの目付よりも高い。また、第２領域４０２は、第１領域４０１等よりも低い目付のパルプを含んでいてもよいし、パルプ及びＳＡＰの両方を含まずにコアラップ４０ｂのみで構成されていてもよく、比較的目付が低く構成されていることにより、第２領域４０２を介して第１領域４０１に体液を円滑に導くことができる。なお、変形例において、第２領域の吸収材料の目付は、第１領域４０１の吸収材料の目付と同じであってもよいし、後述する第３領域４０３の高目付領域４０５の吸収材料の目付と同じであってもよい。
【００４７】
第２領域４０２のパルプの目付が第１領域４０１及び第３領域４０３と比較して低いため、重畳部４５の厚みが厚くなり過ぎることを抑制でき、非肌対向面側に位置する第１領域４０１に体液を導き易くなる。また、第２領域４０２のパルプの目付よりも第１領域４０１のパルプの目付が高いため、第２領域４０２から第１領域４０１に体液が移行し易くなり、非肌対向面側に位置する第１領域４０１に体液を導き易くなる。第１折り線ＦＬ１及び第２折り線ＦＬ２には、パルプの目付の違いによる剛性差が形成される。よって、第１折り線ＦＬ１及び第２折り線ＦＬ２を基点に吸収体４０をより折り畳み易くなる。
【００４８】
第２領域４０２の厚みは、第１領域４０１の厚みよりも薄く、第３領域４０３の厚みよりも薄い。第１折り線ＦＬ１及び第２折り線ＦＬ２は、吸収体４０の厚み及び目付が変化する境界であり、剛性が変化する境界となる。よって、第１折り線ＦＬ１及び第２折り線ＦＬ２を基点に吸収体４０を折り畳み易い。
【００４９】
第３領域４０３は、第３領域４０３の外側縁４０３Ｅ２から幅方向の内側に延びる低目付領域４０４と、低目付領域４０４以外の領域からなる高目付領域４０５と、を有する。低目付領域４０４は、少なくとも股下域２５に配置される。低目付領域４０４は、股下域２５に設けられており、前胴回り域２０及び後胴回り域３０に設けられていない。なお、低目付領域４０４は、股下域２５を超えて、前胴回り域２０や後胴回り域３０に配置されていてよい。本実施の形態の低目付領域４０４の後端縁は、第３領域４０３の後端縁よりも前方であり、低目付領域４０４の前端縁は、第３領域４０３の前端縁よりも後方である。よって、低目付領域４０４の前後方向の外側には、高目付領域４０５が配置される。
【００５０】
低目付領域４０４の吸収材料の目付は、第３領域４０３の後端縁における吸収材料の目付よりも低く、かつ第３領域４０３の前端縁における吸収材料の目付よりも低い。第３領域４０３の後端縁及び第３領域４０３の前端縁は、高目付領域４０５内に位置する。低目付領域４０４の吸収材料の目付は、高目付領域４０５の吸収材料の目付よりも低い。本実施の形態の低目付領域４０４の吸収材料の目付は、実質的に吸収材料を有しない。低目付領域４０４は、設計上のＳＡＰ等の吸収材料の目付が零であるが、製造工程において高目付領域４０５等から混入したＳＡＰやパルプを有していてもよい。低目付領域４０４の吸収材料の目付は、第２領域の吸収材料の目付よりも低くてもよいし、同じであってもよいし、高くてもよい。二つ折り線ＦＬ３は、低目付領域４０４に設けられる。二つ折り線ＦＬ３は、少なくとも低目付領域４０４に設けられていればよく、本実施の形態の二つ折り線ＦＬ３は、低目付領域４０４と高目付領域４０５に跨っている。
【００５１】
次いで、このように構成された使い捨ておむつが着用された状態の変形態様について説明する。図７は、使い捨ておむつ１０の着用状態を模式的に示した図である。（ａ）は、比較例に係る使い捨ておむつを示しており、（ｂ）は、本実施形態に係る使い捨ておむつを示している。使い捨ておむつは、使用前の状態において二つ折り線ＦＬ３を基点に折り畳まれているため、二つ折り線ＦＬ３による折り癖が形成される。（ａ）に示すように、折り癖が形成された状態の使い捨ておむつ１０は、二つ折り線ＦＬ３を頂点として着用者から離れるように配置される。二つ折り線ＦＬ３が股下域２５に設けられているため、股下域２５が着用者から離れるように変形する。
【００５２】
（ｂ）は、本実施形態に係る使い捨ておむつ１０を示している。着用時に着用者の両足によって挟まれることにより、使い捨ておむつ１０には、幅方向外側から幅方向内側に向かう力がかかる。この幅方向外側から幅方向内側に向かう力は、第３領域４０３の外側縁４０３Ｅ２にかかる。第３領域４０３の外側縁に幅方向外側から幅方向内側に向かう力がかかると、第３領域４０３の内側縁４０３Ｅ１（第３領域４０３と第２領域４０２の境界）には、その反力として、幅方向内側から幅方向外側に向かう力が第２領域４０２側からかかる。すなわち、第３領域４０３には、幅方向外側から幅方向内側に向かう力と、幅方向内側から幅方向外側に向かう力と、が作用する。このように相反する力がかかることにより、二つ折り線ＦＬ３によって厚み方向Ｔに圧縮されて硬化した部分の吸収材料が第３領域４０３においてほぐされ、剛性が低下する。
【００５３】
このとき、股下域２５の第３領域４０３は、前胴回り域２０の第３領域４０３及び後胴回り域の第３領域４０３と比較して幅方向に沿った断面において吸収材料の目付が少ないため、幅方向外側から幅方向内側に向かう力の影響を受けやすくなる。幅方向外側から幅方向内側に向かう力の影響を受け易いことにより、その反力も強くなり、吸収体４０の剛性を低下させる効果も強くなる。低目付領域４０４に二つ折り線ＦＬ３が設けられているため、二つ折り線ＦＬ３によって硬くなった吸収体の剛性を低下させることができる。よって、図７（ｂ）に示すように、二つ折り線ＦＬ３が設けられた吸収体４０が着用者の肌から離れることを抑制し、吸収体４０を体に密着させることができる。これにより、体液の引き込み性を向上させ、漏れの発生を抑制することができる。また、股下域の吸収体の剛性が低下するため、着用時の違和感を抑制できる。
【００５４】
低目付領域４０４の内側縁４０４Ｅ１は、吸収体４０が折り畳まれた折り畳み状態において、第２折り線ＦＬ２よりも幅方向Ｗの外側に位置する。よって、低目付領域４０４の幅方向Ｗの内側には、低目付領域４０４に隣接して高目付領域４０５が配置されている。第３領域４０３の内側縁Ｅ１は、高目付領域４０５のみで構成されている。低目付領域４０４の内側縁４０４Ｅ１が第２折り線ＦＬ２よりも幅方向Ｗの外側に位置するため、着用時に幅方向外側から幅方向内側に向かう力は、低目付領域４０４のみならず、高目付領域４０５及び第１領域４０１等にかかる。そのため、第３領域４０３の幅方向全域に低目付領域４０４が設けられた構成と比較して、第１領域４０１の当たりを和らげることができ、第１領域４０１の意図しない変形及び吸収体４０全体が幅入りすることを防ぐことができる。これにより、吸収体４０の意図しない変形や吸収体の幅入りを防ぐことにより、着用者の股下に対して一定の幅で吸収体を配置できる。一定の幅を有する広い面を有する吸収体によって排泄物を吸収でき、排泄物の漏れを抑制できる。
【００５５】
低目付領域４０４の内側縁４０４Ｅ１は、吸収体４０が折り畳まれた折り畳み状態において、第１折り線ＦＬ１よりも幅方向の外側に位置する。低目付領域４０４の内側縁４０４Ｅ１が第１折り線ＦＬ１よりも幅方向の外側に位置するため、着用時に両足によって挟まれた際に、股下域２５において第１領域４０１よりも先に第３領域４０３の低目付領域４０４の内側縁（低目付領域４０４と高目付領域４０５の境界）に当たる。よって、高目付領域４０５に幅方向外側から幅方向の内側に向かう力が強くかかり、二つ折り線ＦＬ３によって硬くなった吸収体４０の剛性を低下させる効果をより発揮できる。
【００５６】
また、着用時に両足によって挟まれた際に、股下域２５において第３領域４０３よりも先に第１領域４０１が当たらないため、吸収体全体が幅入りすることを防ぐことができる。なお、第１領域４０１よりも先に高目付領域４０５が当たっても、高目付領域４０５には幅方向内側から幅方向外側に向かう力が第２領域４０２側からかかるため、吸収体全体が幅入りすることを防ぐことができる。よって、吸収体全域が幅入りすることを抑制し、横漏れを抑制できる。
【００５７】
低目付領域４０４は、幅方向の長さが最大となる幅広部４０４Ｍを有する。低目付領域４０４の幅は、幅広部４０４Ｍにおいて最も長く、幅広部４０４Ｍから前後方向の外側に向かって短くなっている。低目付領域４０４は、第３領域４０３の外側縁から幅方向内側に向かって突出する凸形状である。凸形状の頂点は、低目付領域４０４の内側縁４０４Ｅ１であり、低目付領域４０４の前後方向の中心に位置する。幅広部４０４Ｍは、凸形状の頂点を通り、頂点から幅方向に延びる。二つ折り線ＦＬ３は、幅広部４０４Ｍに設けられる。すなわち、低目付領域４０４は、二つ折り線ＦＬ３において最大幅となる。
【００５８】
幅広部４０４Ｍと幅方向において隣接する高目付領域４０５には、幅方向外側から幅方向内側に向かう力の影響を最も強く受ける。当該幅広部４０４Ｍに二つ折り線ＦＬ３が設けられているため、二つ折り線ＦＬ３によって硬くなった吸収体４０の剛性を効果的に低下させることができる。二つ折り線ＦＬ３によって硬くなった吸収体４０の剛性が低下することにより、吸収体４０がより柔軟に変形でき、吸収体４０が体により密着し易くなる。体液の引き込み性を向上させ、漏れの発生をより抑制することができる。
【００５９】
図２及び図３に示すように、吸収体４０が折り畳まれた折り畳み状態において、第１領域４０１、第２領域４０２及び第３領域４０３が重なった重畳部４５では、第２領域４０２の肌対向面と第３領域４０３の非肌対向面とが接合されていない。第２領域４０２の肌対向面と第３領域４０３の非肌対向面とが接合されていないため、第３領域４０３と第２領域４０２とで相反する方向の力がかかり易くなる。よって、幅方向外側から幅方向内側に向かう力が加えられた際に、当該力の反力が発生し易く、吸収体の剛性を低下させる効果を発揮し易くなる。また、第３領域４０３の外側縁４０３Ｅ２に幅方向外側から幅方向内側に向かう力がかかると、左右の第３領域４０３同士が近づくように変形し、左右の第２領域４０２が肌側に立ち上がるように変形する。左右の第２領域４０２間に空間が形成され、当該空間によって排泄物を保持することができる。よって、排泄物の漏れを更に抑制できる。
【００６０】
吸収体４０が折り畳まれた折り畳み状態において、重畳部４５の少なくとも一部では、第１領域４０１の肌対向面と第２領域４０２の非肌対向面とが接合されている。第１領域４０１の肌対向面と第２領域４０２の非肌対向面とが接合されていることにより、吸収体の折り構造を維持することができる。第１領域４０１、第２領域４０２及び第３領域４０３の３つの領域で排泄物を効率よく吸収し、排泄物の漏れを抑制できる。第１領域４０１の肌対向面と第２領域４０２の非肌対向面とは、互いに対向する面の一部で接合されていればよく、当該面の幅方向の一部の領域で接合されていてもよいし、当該面の前後方向の一部の領域で接合されていてもよい。第１領域４０１の肌対向面と第２領域４０２の非肌対向面とが一部で接合されていれば、吸収体４０の折り構造を維持し易くなる。
【００６１】
吸収体４０が折り畳まれた折り畳み状態において、二つ折り線ＦＬ３が設けられた領域では、第１領域４０１の肌対向面と第２領域４０２の非肌対向面とは、接合されていない。二つ折り線ＦＬ３が設けられた領域には、第１領域４０１と第２領域４０２の接合によって硬化した部分が形成されないため、二つ折り線が設けられた領域における剛性が高くなることを抑制できる。よって、使い捨ておむつ１０を着用者の股下に沿って配置でき、排泄物の漏れを抑制できる。
【００６２】
第１領域４０１、第２領域４０２、第３領域４０３は、連続する１枚のコアラップ４０ｂによって覆われている。コアラップ４０ｂは、第１領域４０１、第２領域４０２及び第３領域４０３を跨っている。コアラップが第１領域４０１、第２領域４０２及び第３領域４０３を跨っているため、第１領域４０１、第２領域４０２及び第３領域４０３のそれぞれにかかる力が互いに伝わり易くなる。そのため、幅方向外側から幅方向内側に向かう力が第３領域４０３に掛かった際に、当該力の反力が第２領域４０２側から第３領域４０３に伝わり易く、吸収体４０の剛性を低下させる効果を発揮し易くなる。
【００６３】
また、トップシート５０は、一対の第２折り線ＦＬ２間に位置する第１領域４０１の肌対向面側と、第３領域４０３の肌対向面側と、に跨って配置されている。トップシート５０が第１領域４０１と第３領域４０３に跨って配置されているため、重畳部４５に幅方向内側に向かう力がかかった際に重畳部４５が幅方向内側に移動し難くなり、吸収体４０の変形を効果的に抑制できる。すなわち、第１領域４０１の肌対向面側から幅方向に延びるトップシートは、第１領域４０１と第２領域４０２の間に延出せずに、第３領域４０３の肌対向面側に延びる。重畳部４５において、トップシート５０は、第１領域４０１と第２領域４０２の間、及び第２領域４０２と第３領域４０３の間に配置されていない。吸収体の折り構造を維持することができる。第１領域４０１、第２領域４０２及び第３領域４０３の３つの領域で排泄物を効率よく吸収し、排泄物の漏れを抑制できる。
【００６４】
低目付領域４０４は、平面視にて曲線形状である。低目付領域４０４の前後方向の中心は、幅方向の内側に向かう曲線状の凸形状である。低目付領域４０４の前後方向の中心から低目付領域４０４の後端縁に延びる後側ライン４０４Ｒは、後方に向かうにつれて幅方向の外側に曲線状に延び、幅方向の外側へ湾曲した曲線状である。低目付領域４０４の前後方向の中心から低目付領域４０４の前端縁に延びる前側ライン４０４Ｆは、前方に向かうにつれて幅方向の外側に曲線状に延び、幅方向の外側へ湾曲した曲線状である。前側ライン４０４Ｆ及び後側ライン４０４Ｒが曲線状であるため、前側ライン４０４Ｆ及び後側ライン４０４Ｒが直線状である構成と比較して、低目付領域４０４の後端縁及び低目付領域４０４の前端縁に力が集中し難い。よって、低目付領域４０４の後端縁から幅方向に延びる折り線及び前端縁から幅方向に延びる折り線が形成され難く、幅方向に延びる折り癖によって使い捨ておむつが体から離れることを抑制できる。よって、着用者の身体の前後方向に沿った丸みに使い捨ておむつをより沿わせることができ、漏れを抑制することができる。
【００６５】
また、低目付領域４０４の前後方向の中心の曲線の曲率は、低目付領域４０４の前側ラインの曲率よりも低く、低目付領域４０４の後側ラインの曲率よりも低い。そのため、低目付領域４０４の前後方向の中心から前後方向に延びるカーブの傾斜を大きくでき、低目付領域４０４の前後方向の中心において低目付領域の幅方向の長さを確保しつつ、当該低目付領域が前後方向に延びる範囲を狭くすることができる。よって、低目付領域４０４の前後方向の外側に位置する高目付領域４０５を広く設けることができ、吸収容量を確保し、排泄物の漏れを抑制できる。
【００６６】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。したがって、本発明の技術的範囲は、上述の説明から妥当な特許請求の範囲に係る発明特定事項によってのみ定められるものである。
【符号の説明】
【００６７】
１０            ：吸収性物品
２０            ：前胴回り域
２５            ：股下域
３０            ：後胴回り域
４０            ：吸収体
４０ａ          ：吸収コア
４０ｂ          ：コアラップ
４０１          ：第１領域
４０２          ：第２領域
４０３          ：第３領域
４０４          ：低目付領域
４０５          ；高目付領域
５０            ：トップシート
６０            ：外装シート
６０ａ          ：バックシート
Ｌ              ：前後方向
Ｔ              ：厚み方向
Ｗ              ：幅方向
ＦＬ１          ：第１折り線
ＦＬ２          ：第２折り線
ＦＬ３          ：二つ折り線
【図１】
0006456319.tif 000002
【図２】
0006456319.tif 000003
【図３】
0006456319.tif 000004
【図４】
0006456319.tif 000005
【図５】
0006456319.tif 000006
【図６】
0006456319.tif 000007
【図７】
0006456319.tif 000008